(57)【要約】【課題】パネルの着脱や取替えが自在で極めて簡単確実であり、ディスプレイ本体の組立作業の手間を省くことができるパネル式点灯ディスプレイ装置を提供する。【解決手段】角柱体の枠組みを形成する枠体フレーム１１０と、枠体フレーム１１０に着脱自在に取り付けるパネルを構成する複合シート部材１００と、枠体フレーム１１０内に設置される光源３１０とを備えたパネル式点灯ディスプレイ装置において、複合シート部材１００は薄葉体と補強シートの組み合わせを採用し、枠体フレーム１１０のパネルの取り付け箇所に当該パネルの両側縁部を挿入し固定する挿入溝１２０ａ、１２０ｂを形成し、複合シート部材１００を枠体フレーム１１０に嵌め込んでディスプレイ構造を完成させた。【選択図】図７
0003131550.tif 000002
【実用新案登録請求の範囲】
【請求項１】
角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は、薄葉体と補強シートの組み合わせ又は薄葉体と補強ケースの組み合わせからなり且つ光の透過度が少なくとも１０％以上であり、前記補強シートの間に前記薄葉体を挟持することにより又は前記補強ケースの中に前記薄葉体を挿入することにより、パネルの厚さが少なくとも２００ミクロン以上で充分な厚みを有し且つ曲げ弾性率が少なくとも１５００ＭＰａ以上の曲げ剛性を有することを特徴とするパネル式点灯ディスプレイ装置におけるパネル構造。
【請求項２】
請求項１に記載の薄葉体が、紙又はプラスチックフィルムにデジタルプリンタのジェットインクを受容固着するための層を塗工した複層体の部材からなり、前記部材の塗工層にインクジェットプリント加工を施したことを特徴とするパネル式点灯ディスプレイ装置におけるパネル構造。
【請求項３】
角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は請求項１又は請求項２のいずれか一項に記載のパネル構造を採用し、前記枠体フレームのパネルの取り付け箇所に当該パネルの両側縁部を挿入し固定する挿入溝を形成し、前記複合シート部材を前記枠体フレームに着脱自在に取り付けてディスプレイ構造を完成させたことを特徴とするパネル式点灯ディスプレイ装置におけるディスプレイ構造。
【請求項４】
角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は請求項１又は請求項２のいずれか一項に記載のパネル構造を採用し、前記枠体フレームのパネルの取り付け箇所が当該パネルの両側縁部を接着し又は留め具を用いて固定するＬ字形の断面に形成されており、前記複合シート部材を前記枠体フレームに着脱自在に取り付けてディスプレイ構造を完成させたことを特徴とするパネル式点灯ディスプレイ装置におけるディスプレイ構造。
【考案の詳細な説明】
【技術分野】
【０００１】
本考案は、室内などに据え置き（スタンド方式）、吊り下げ（ペンダント方式）、壁掛けなどしてディスプレイ用として使用されるパネル式点灯ディスプレイ装置におけるパネル構造及びディスプレイ構造に関するものである。
【背景技術】
【０００２】
本願考案者は、本考案の創作に先立って「行燈型ディスプレイ装置」に関する考案を創作し、以下の通り実用新案登録を受けている。
【０００３】
「行燈型ディスプレイ装置」に関する考案（実用新案登録第３１２１８３７号公報、特許文献１）は、従来の行燈をディスプレイとして広く利用できるように独自の改良を加えて、枠体フレームの側部に取り付けられる側面シートの取替作業を容易にすると共に、設置場所における様々な用途に応じて宣伝効果又は意匠効果を発揮することができる行燈型ディスプレイ装置を提供することを目的とし、角柱体の枠組みを形成する枠体フレームと、枠体フレームの下部に取り付けられた連結用側壁板の上方領域において枠体フレームの側部に着脱自在に取り付けられる側面シートと、枠体フレーム内の下部に取り付けられる基台と、基台上に設置される光源とを備えた構成を採用している。
【０００４】
上記考案によれば、枠体フレームの側部に着脱自在に取り付けられる側面シートを備えたことにより、側面シートの取替作業が容易になり行燈をディスプレイとして広く利用することが可能になり、さらに側面シートの表面に任意の文字・記号・図形を表わし又は任意のデザインによる装飾を施すことにより宣伝効果又は意匠効果を発揮し、従来の行燈とは異なりデザイン性を高めることが可能になるという効果を奏するものである。
【０００５】
【特許文献１】実用新案登録第３１２１８３７号公報
【考案の開示】
【考案が解決しようとする課題】
【０００６】
本考案は、上記考案のパネル構造及びディスプレイ構造に更なる改良を施すことにより、パネルの着脱や取替えが自在で極めて簡単確実であり、ディスプレイ本体の組立作業の手間を省くことができるパネル式点灯ディスプレイ装置を提供することを目的とする。
【課題を解決するための手段】
【０００７】
上記課題を解決するために、請求項１に記載の考案は、角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は、薄葉体と補強シートの組み合わせ又は薄葉体と補強ケースの組み合わせからなり且つ光の透過度が少なくとも１０％以上であり、前記補強シートの間に前記薄葉体を挟持することにより又は前記補強ケースの中に前記薄葉体を挿入することにより、パネルの厚さが少なくとも２００ミクロン以上で充分な厚みを有し且つ曲げ弾性率が少なくとも１５００ＭＰａ以上の曲げ剛性を有することを特徴とする。
【０００８】
また、請求項２に記載の考案は、請求項１に記載の薄葉体が、紙又はプラスチックフィルムにデジタルプリンタのジェットインクを受容固着するための層を塗工した複層体の部材からなり、前記部材の塗工層にインクジェットプリント加工を施したことを特徴とする。
【０００９】
また、請求項３に記載の考案は、角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は請求項１又は請求項２のいずれか一項に記載のパネル構造を採用し、前記枠体フレームのパネルの取り付け箇所に当該パネルの両側縁部を挿入し固定する挿入溝を形成し、前記複合シート部材を前記枠体フレームに着脱自在に取り付けてディスプレイ構造を完成させたことを特徴とする。
【００１０】
また、請求項４に記載の考案は、角柱体の枠組みを形成する枠体フレームと、前記枠体フレームに着脱自在に取り付けるパネルを構成する複合シート部材と、前記枠体フレーム内に設置される光源とを備えたパネル式点灯ディスプレイ装置において、前記複合シート部材は請求項１又は請求項２のいずれか一項に記載のパネル構造を採用し、前記枠体フレームのパネルの取り付け箇所が当該パネルの両側縁部を接着し又は留め具を用いて固定するＬ字形の断面に形成されており、前記複合シート部材を前記枠体フレームに着脱自在に取り付けてディスプレイ構造を完成させたことを特徴とする。
【考案の効果】
【００１１】
以上のように、本考案によれば、枠体フレームに着脱自在に取り付けるパネルは、所定の光の透過度・厚さ・曲げ剛性を有する薄葉体と補強シートの組み合わせ又は薄葉体と補強ケースの組み合わせからなる複合シート部材により構成したので、パネルの着脱や取替えが自在で極めて簡単確実にすることが可能になる。
【００１２】
また、枠体フレームのパネルの取り付け箇所に当該パネルの両側縁部を挿入し固定する挿入溝を形成し、又は枠体フレームのパネルの取り付け箇所が当該パネルの両側縁部を接着し又は留め具を用いて固定するＬ字形の断面に形成されており、複合シート部材を枠体フレームに着脱自在に取り付けてディスプレイ構造を完成させるようにしたので、ディスプレイ本体の組立作業の手間を省くことが可能になり、更には製造コストの低減を図ることが可能になる。
【考案を実施するための最良の形態】
【００１３】
以下、本考案の実施の一形態について、図１乃至図７に基づいて説明する。
この実施形態で示すパネル式点灯ディスプレイ装置は、室内などに据え置き（スタンド方式）、吊り下げ（ペンダント方式）、壁掛けなどしてディスプレイ用として使用されるものである。図１は、本考案のパネル式点灯ディスプレイ装置におけるパネル構造の一例を示す説明図である。図２は、本考案のパネル式点灯ディスプレイ装置におけるパネル構造の他の例を示す説明図である。図３は、本考案のパネル式点灯ディスプレイ装置におけるディスプレイ構造の一例を示す斜視図である。図４は、図３に示すディスプレイ構造の平面図である。図５は、本考案のパネル式点灯ディスプレイ装置におけるディスプレイ構造の他の例を示す斜視図である。図６は、図５に示すディスプレイ構造の平面図である。図７は、本考案のパネル式点灯ディスプレイ装置の使用の一例を示す説明図である。
【００１４】
パネル式点灯ディスプレイ装置におけるパネル構造の一例は、図１に示すように１枚の薄葉体１０と２枚の補強シート２０ａ、２０ｂの組み合わせからなる複合シート部材（図３に示す符号１００）によって構成されている。この複合シート部材は、光の透過度が少なくとも１０％以上（好ましくは２０％以上）であり、補強シート２０ａ、２０ｂの間に薄葉体１０が挟持されておりパネルの厚さが少なくとも２００ミクロン以上（好ましくは３００ミクロン）で充分な厚みを有し且つ曲げ弾性率が少なくとも１５００ＭＰａ以上の曲げ剛性を有するように構成される。
【００１５】
薄葉体１０は、厚さ３０〜２００ミクロン、光の透過度が少なくとも１０％以上であり、その表面に任意の文字・記号・図形が表わされ又は任意のデザインによる装飾を施すことにより宣伝効果又は意匠効果を発揮しデザイン性を高めることが可能になる。
薄葉体１０の材質については、紙、プラスチックなどを採用することができるが、具体的には以下に示すものが挙げられる。
（１）無地または模様入り洋紙、または和紙、障子紙、千代紙、着色セロファン紙、蓄光紙またはフィルム、蛍光紙またはフィルムなどそのもの又はそれらに直接に手描書したものを適当なサイズに裁断して使用する。
（２）紙またはプラスチックスフィルムにデジタルプリンタのジェットインクを受容固着するための層を塗工したものに、パソコンにデジタルカメラやデジタルスキャナーから映像や文字情報などを取り込み加工・プリントして使用する。特に好ましいのは、「電飾フィルム」または「バックライトフィルム」などと呼称されているインクジェットメディア、すなわち、ポリエステルフィルム、ポリ塩化ビニルフィルム、ポリプロピレンフィルムなどの透明または薄乳白のフィルムの片面にデジタルプリンタのジェットインクを受容固着するための層を塗工したものを適当なサイズに裁断して使用することである。さらに該電飾フィルムの裏面（塗工されていない面）に障子紙などの紙を粘着または接着した積層体はフィルムのカール癖を抑制してパソコンプリンタに安定して繰り出せるのでより好ましい。
（３）新聞・雑誌や折込広告などの切り抜き又はそれらをコピー機などで複写した後で適当なサイズに裁断したものを使用する。
また、薄葉体１０の大きさ・形状については、縦横ともに短くとも８ｃｍ以上、長くとも３０ｃｍ以下の長方形又は正方形に裁断したものを採用し、特に葉書サイズ又はＡ６版サイズが好ましい。なお、本考案では、上述したような大きさが適しているが、これに限定されるものではなく、後述する枠体フレームの間の長方形状を呈する空間内に収まるものであれば任意の大きさを採用することができる。
【００１６】
補強シート２０ａ、２０ｂは、厚さ１００ミクロン〜３ｍｍ、光の透過度が少なくとも１０％以上、曲げ弾性率が少なくとも１５００ＭＰａ以上であり、
補強シート２０ａ、２０ｂの間に上述した薄葉体１０が挟持されることにより充分な厚みと曲げ剛性を有するパネルが構成される。
補強シート２０ａ、２０ｂの材質については、（１）ガラスシート、（２）プラスッチクスシート（硬質ポリ塩化ビニル、ポリエステル、ポリカーボネート、ポリスチレンなど）を採用する。
また、補強シート２０ａ、２０ｂの大きさ・形状については、上述した薄葉体１０の大きさ・形状に合うように適宜調整する。
【００１７】
パネル式点灯ディスプレイ装置におけるパネル構造の他の例は、図２に示すように１枚の薄葉体３０と１個の補強ケース４０の組み合わせからなる複合シート部材（図５に示す符号２００）によって構成されている。この複合シート部材は、光の透過度が少なくとも１０％以上（好ましくは２０％以上）であり、補強ケース４０の中に薄葉体３０を挿入することによりパネルの厚さが少なくとも２００ミクロン以上（好ましくは３００ミクロン）で充分な厚みを有し且つ曲げ弾性率が少なくとも１５００ＭＰａ以上の曲げ剛性を有するように構成される。
【００１８】
薄葉体３０は、上述した例と同様に、厚さ３０〜２００ミクロン、光の透過度が少なくとも１０％以上であり、その表面に任意の文字・記号・図形が表わされ又は任意のデザインによる装飾を施すことにより宣伝効果又は意匠効果を発揮しデザイン性を高めることが可能になる。
薄葉体３０の材質については、上述した例と同様に、紙、プラスチックなどを採用することができる。
また、薄葉体３０の大きさ・形状については、上述した例と同様に、縦横ともに短くとも８ｃｍ以上、長くとも３０ｃｍ以下の長方形又は正方形に裁断したものを採用し、特に葉書サイズ又はＡ６版サイズが好ましい。
【００１９】
補強ケース４０は、厚さ１００ミクロン〜３ｍｍ、光の透過度が少なくとも１０％以上、曲げ弾性率が少なくとも１５００ＭＰａ以上であり、補強ケース４０の中に上述した薄葉体３０を挿入することにより充分な厚みと曲げ剛性を有するパネルが構成される。
補強ケース４０の材質については、プラスッチクスシート（硬質ポリ塩化ビニル、ポリエステル、ポリスチレン、ポリプロピレンなど）を採用する。
また、補強ケース４０の大きさ・形状については、上述した薄葉体３０を挿入することができる大きさ・形状のものを採用する。
【００２０】
次に、本考案のパネル式点灯ディスプレイ装置におけるディスプレイ構造について説明する。
図３に示すように、本考案のパネル式点灯ディスプレイ装置におけるディスプレイ構造の一例は、パネルを構成する複合シート部材１００が１枚の薄葉体１０と２枚の補強シート２０ａ、２０ｂの組み合わせからなるものを採用し（図１参照）、図４に示すように４本の枠体フレーム１１０のパネルの取り付け箇所に当該パネルの両側縁部を挿入し固定する挿入溝１２０ａ、１２０ｂが形成されており、複合シート部材１００を枠体フレーム１１０に嵌め込んでディスプレイ構造を完成させたものである。このため、ディスプレイ本体の組立作業の手間を省くことが可能になり、更には製造コストの低減を図ることが可能になる。なお、パネルを構成する複合シート部材については、図２に示す１枚の薄葉体３０と１個の補強ケース４０の組み合わせからなるものを採用してもよい。
【００２１】
本考案のディスプレイ構造の形状は、上述したような四角柱形状に限定されるものではなく、三角柱形状、五角柱形状、六角柱形状その他の角柱形状に適宜変更してもよい。また、枠組みを形成する枠体フレーム１１０の材質については、木材、プラスチックス、金属、ガラス、陶器などから適宜選択し採用することができる。
【００２２】
図５に示すように、本考案のパネル式点灯ディスプレイ装置におけるディスプレイ構造の他の例は、パネルを構成する複合シート部材２００が１枚の薄葉体３０と１個の補強ケース４０の組み合わせからなるものを採用し（図２参照）、図６に示すように４本の枠体フレーム２１０のパネルの取り付け箇所が当該パネルの両側縁部を接着し固定するＬ字形の断面が形成されており、複合シート部材２００を枠体フレーム２１０に接着テープにより固定してディスプレイ構造を完成させたものである。ただし、固定する手段は、接着テープに限定されるものではなく、留め具（例えば、プラスチック製又は金属製などのクッリプ）を用いて固定してもよい（図示省略）。このため、ディスプレイ本体の組立作業の手間を省くことが可能になり、更には製造コストの低減を図ることが可能になる。なお、パネルを構成する複合シート部材については、図１に示す１枚の薄葉体１０と２枚の補強シート２０ａ、２０ｂの組み合わせからなるものを採用してもよい。
【００２３】
本考案のディスプレイ構造の形状は、上述した例と同様に、四角柱形状に限定されるものではなく、三角柱形状、五角柱形状、六角柱形状その他の角柱形状に適宜変更してもよい。また、枠組みを形成する枠体フレーム２１０の材質については、木材、プラスチックス、金属、ガラス、陶器などから適宜選択し採用することができる。
【００２４】
次に、本考案のパネル式点灯ディスプレイ装置の使用方法について説明する。
図７に示すように、室内などに据え置き（スタンド方式）してディスプレイ用として使用する場合、例えば、１枚の薄葉体１０と２枚の補強シート２０ａ、２０ｂの組み合わせからなる４枚のパネル（図１参照）を、挿入溝１２０ａ、１２０ｂを有する４本の枠体フレーム１１０に嵌め込んでディスプレイ構造を構成し（図３参照）、そのディスプレイ構造を基台３００の上に載置して使用する。この基台３００上には光源３１０が設置されている。
【００２５】
本考案のパネル式点灯ディスプレイ装置の使用方法は、上述した据え置き（スタンド方式）に限定されるものではなく、吊り下げ（ペンダント方式）、壁掛けなど様々なディスプレイ用として使用することができる。また、光源の種類についても、電球、ＬＥＤ、ブラックライト、ろうそくなど、用途に応じて様々なものを使用することができる。
【００２６】
本考案のパネル式点灯ディスプレイ装置の応用分野としては、以下のものが挙げられる。
（１）写真、絵画、切り絵、書道、イラスト、漫画、カレンダー、美術作品などの展示、室内インテリアなど
（２）商品、店舗、料理メニューなどの提示宣伝
【００２７】
以下、実施例１乃至実施例３に基づき、より具体的な実施内容について説明する。
（実施例１）
株式会社光モールの硬質ポリ塩化ビニル製「ホワイトアングル」（一辺１０ｍｍのＬ字型断面、長さ１ｍ、厚さ１ｍｍ）を切断して、長さ１６０ｍｍの枠体フレームを４本得た。コクヨ株式会社の硬質ポリ塩化ビニル製透明カードケース（Ａ６サイズ、１０７×１５１ｍｍ）を４個購入・準備した。書道用の手漉き画仙紙「白寿」４枚に墨汁と筆で各々「夢」「楽」などの文字を書いた後、Ａ６サイズに裁断して薄葉体とした。該薄葉体を別々にカードケースに挿入し（図２参照）、パネル４枚を得た。幅１０ｍｍ、長さ３０ｍｍの透明粘着テープを使って、上下の枠体フレームとカードケースの全ての接合箇所を固定して、長立方形の枠体を作成した（図５、図６参照）。
株式会社彩光社の「ランプスタンドキット」（パルプの圧縮成型で作られたランプ基台、１７ｍｍの口金ソケット、中間スイッチ付コード、４０Ｗの白熱電球がセットとなり販売されている）を組み立てて、上記の枠体を載せるだけで、テーブルスタンドができあがった。点灯した後も枠体の上部を掴んでランプ基台に載せ替えるだけで、安易に４面の作風を楽しめることができた。
【００２８】
（実施例２）
株式会社光モールの硬質ポリ塩化ビニル製「コーナージョイナー」(溝幅２.７ｍｍの２本のＵ字モールがＬ字型に長さ方向に沿って溶着された茶色のコーナーアングル、品番３１２、長さ１ｍ、厚さ約１.５ｍｍ)を切断して、長さ１６５ｍｍの枠体フレームを４本得た。タキロン株式会社の非晶性ポリエステル透明シート「ペテック（登録商標）」（１４６０×１１００ｍｍ、厚さ０.５ｍｍ）をカッターで切り出して、１０５×１５０ｍｍの補強用シートを８枚準備した。
アイケーシー株式会社製の電飾用ポリエステルフィルム「ルミジェット（登録商標）Ｓ４２７」（表面には水性ジェットインクを受容固着するための層が塗工され、裏面には粘着剤が塗工されている、厚さ１００ミクロン）と
アイケーシー株式会社製の無地障子紙「ＳＲ３４１」とを圧着して積層体とした後、葉書サイズ（１００ｍｍ×１４８ｍｍ）に裁断して４枚の薄葉体を得た。デジタルカメラで撮った四季の花写真（４種）をパソコンに取り込み、加工用ソフトで補正・修飾した後に各々を上記４枚の薄葉体の表面にプリントした。プリントにはセイコーエプソン株式会社の水性染料インクジェットカートリッジ装着のプリンター「ＰＭ-８８０Ｃ」を使用した。プリントした該薄葉体を、各々上記の補強用シート２枚の中央部中間にサンドイッチ様に挟みこみ（図１参照）、４枚のパネルとした。該パネルを上記の枠体フレーム４本の溝に順次嵌め込んで、長立方形の枠体を作成した（図３、図４参照）。
この際、枠体フレームの溝とパネルとの隙間には、和気産業株式会社の「カラーワイヤー」（ナマシ鉄線にポリ塩化ビニル樹脂を被覆、外径１.６ｍｍ）を長さ約１０ｃｍに切り、指先で埋め込んで各パネルが支柱の中央部にしっかりと固定するように留意した。
株式会社林イマニテイが発売の「木製トレーアソート」（一辺１４５ｍｍの正方形の盆）の中央部に朝日電器株式会社のコード・中間スイッチ付ソケット「ＫＰ-Ｍ１７１５Ｈ」を木ねじで固定し、株式会社ヤザワコーポレーションの２５Ｗクリプトンミニランプ「ＫＳ３５１７２４Ｆ」を取り付けた。該光源の木製盆に長立方形のパネル装着枠体を載せて点灯するだけで和風の行灯様スタンドとなり、４面の鮮明な花写真を自在に楽しめた（図７参照）。
【００２９】
（実施例３）
積水成型工業株式会社の硬質ポリ塩化ビニル透明シート「エスビロン（登録商標）Ａ‐１００」（６７０×
１４６０ｍｍ、厚さ０.５ｍｍ）をカッターで切り出して、１０５×１５０ｍｍの補強用シートを８枚準備した。４種の薄葉体を以下のように準備した。
（１）株式会社大直の「楮生漉障子紙」（雲竜模様、９４ｃｍ×３.６ｍ）を葉書サイズに切り出したもの
（２）型染め和紙（和風レトロ地紋）を葉書サイズに切り出したもの
（３）アイケーシー株式会社製の電飾用ポリエステルフィルム「ルミジェット（登録商標）Ｓ４２６」（表面には水性ジェットインクを受容固着するための層が塗工されている、厚さ１００ミクロン）を葉書サイズに切り出した。ステンシル図案テキスト本に載っていた「五月節句」の図柄をセイコーエプソン株式会社ＰＣスキャナー「ＧＴ-７２００Ｕ」でパソコンに取り込み、セイコーエプソン株式会社の水性染料インクジェットカートリッジ装着のプリンター「ＰＭ-８８０Ｃ」を使用してプリントしたもの
（４）知人から郵送されてきた花菖蒲の葉書絵を（３）に記したと同じメディアに、同じ方法でプリントしたもの
該４種の薄葉体を、各々上記の補強用シート２枚の中央部中間にサンドイッチ様に挟みこみ（図１参照）、４枚のパネルとした。該パネルを実施例２と同じ原材料・同じ方法で作った枠体フレーム４本の溝に順次嵌め込んで、長立方形の枠体を作成した（図３、図４参照）。
この際、支柱の溝とパネルとの隙間には、株式会社オーム電機の「インターホンコード」（銅細線にポリ塩化ビニル樹脂を被覆、外径１.６ｍｍ）を指先で埋め込んで各パネルが支柱の中央部にしっかりと固定するように留意した。
４本の枠体フレームの上端から約３ｍｍの位置にガスコンロで焼いた赤熱状態の錐先を押し当てて約２ｍｍ径の穴を開けた。有限会社彩光デザインの「ペンダント用灯具」（強靭な布被覆電線に引っ掛けシーリング、ナット、ニップル、ペンダント・ソケット、などが装着されている）に取り付ける目的で、厚み約１ｍｍのアルミニウム板を１０ｃｍ正方に切り出し、４隅に約３ｍｍ径の穴を開けるとともに１０ｍｍ幅の「割り入り」をつけた特製のワッシャーを手作りし、灯具のナット間に締め付けた。コーナン商事株式会社で販売されているＳ字型フック「ＫＰ-２１３５」の両端を枠体フレーム上部の穴とペンダント灯具に取り付けたワッシャー４隅の穴に通すことで、長立方形のパネル枠体とペンダント灯具を連結し、吊り下げることができるようにした。株式会社ヤザワコーポレーションの２５Ｗシャンデリア球「Ｃ３２１７２５Ｆ」を取り付けた。
以上の手順で作成したペンダント型のパネル枠体ディスプレイを天井の引っ掛けシーリングに取り付けて点灯した。Ｓ字型フックを活用することで、枠体の方位を変えることができ、４面の図柄を自在に観覧できた。
【図面の簡単な説明】
【００３０】
【図１】本考案のパネル式点灯ディスプレイ装置におけるパネル構造の一例を示す説明図である。
【図２】本考案のパネル式点灯ディスプレイ装置におけるパネル構造の他の例を示す説明図である。
【図３】本考案のパネル式点灯ディスプレイ装置におけるディスプレイ構造の一例を示す斜視図である。
【図４】図３に示すディスプレイ構造の平面図である。
【図５】本考案のパネル式点灯ディスプレイ装置におけるディスプレイ構造の他の例を示す斜視図である。
【図６】図５に示すディスプレイ構造の平面図である。
【図７】本考案のパネル式点灯ディスプレイ装置の使用の一例を示す説明図である。
【符号の説明】
【００３１】
１０  薄葉体
２０  補強シート
３０  薄葉体
４０  補強ケース
１００  複合シート部材
１１０  枠体フレーム
１２０  挿入溝
２００  複合シート部材
２１０  枠体フレーム
３００  基台
３１０  光源
【図１】
0003131550.tif 000003
【図２】
0003131550.tif 000004
【図３】
0003131550.tif 000005
【図４】
0003131550.tif 000006
【図５】
0003131550.tif 000007
【図６】
0003131550.tif 000008
【図７】
0003131550.tif 000009
【手続補正書】
【提出日】平成19年3月2日(2007.3.2)
【手続補正１】
【補正対象書類名】実用新案登録請求の範囲
【補正対象項目名】請求項１
【補正方法】変更
【補正の内容】
【請求項１】
パネルを構成する複合シート部材が、薄葉体と補強シートの組み合わせ又は薄葉体と補強ケースの組み合わせからなり且つ光の透過度が少なくとも１０％以上であり、前記補強シートの間に前記薄葉体を挟持することにより又は前記補強ケースの中に前記薄葉体を挿入することにより、パネルの厚さが少なくとも２００ミクロン以上で充分な厚みを有し且つ曲げ弾性率が少なくとも１５００ＭＰａ以上の曲げ剛性を有することを特徴とするパネル式点灯ディスプレイ装置におけるパネル構造。
【手続補正２】
【補正対象書類名】明細書
【補正対象項目名】０００７
【補正方法】変更
【補正の内容】
【０００７】
上記課題を解決するために、請求項１に記載の考案は、パネルを構成する複合シート部材が、薄葉体と補強シートの組み合わせ又は薄葉体と補強ケースの組み合わせからなり且つ光の透過度が少なくとも１０％以上であり、前記補強シートの間に前記薄葉体を挟持することにより又は前記補強ケースの中に前記薄葉体を挿入することにより、パネルの厚さが少なくとも２００ミクロン以上で充分な厚みを有し且つ曲げ弾性率が少なくとも１５００ＭＰａ以上の曲げ剛性を有することを特徴とする。